(57)【要約】【課題】ユーザが操作をすること無しに、携帯端末のアイコンの設定をする。【解決手段】店舗サーバ１０は、店舗で購入されて接続された携帯端末４０に特定の機能に係るアイコンを設定するためのアイコン設定画面を表示する。そして、店舗サーバ１０は、前記アイコン設定画面上から、店員による前記アイコンを定義するアイコン情報の入力を受け付け、受け付けたアイコン情報に基づいて、接続された携帯端末４０のアイコンを設定する。また、店舗サーバ１０は、設定したアイコン情報を、ユーザの識別情報と対応付けて、クラウドシステム２００内のアイコン管理ＤＢ３３にアップロードする。【選択図】図１
2013114496.tif 000002
【特許請求の範囲】
【請求項１】
店舗に設置されており、携帯端末と接続可能なアイコン設定装置であって、
前記店舗で購入されて接続された携帯端末に特定の機能に係るアイコンを設定するためのアイコン設定画面を表示するアイコン設定画面表示手段と、
前記アイコン設定画面上から、前記アイコンを定義するアイコン情報の入力を受け付けるアイコン定義手段と、
前記アイコン定義手段が受け付けたアイコン情報に基づいて、前記接続された携帯端末のアイコンを設定するアイコン設定手段と、
を備えることを特徴とするアイコン設定装置。
【請求項２】
前記アイコン設定手段によって前記携帯端末に設定されたアイコンのアイコン情報を、該携帯端末の購入者であるユーザの識別情報と対応付けてクラウドシステムにアップロードするアイコンアップロード手段をさらに備える、
ことを特徴とする、請求項１に記載のアイコン設定装置。
【請求項３】
アイコンの変更要求をユーザから受けた際に、該ユーザの携帯端末に設定されているアイコンのアイコン情報を前記クラウドシステムから取得するアイコン取得手段と、
前記アイコン取得手段が取得したアイコン情報を変更するための入力を受け付け、受け付けた内容に基づいて、所定のネットワークを経由して、前記変更要求を依頼したユーザの携帯端末に設定されているアイコンを変更するアイコン変更手段と、をさらに備える、
ことを特徴とする、請求項２に記載のアイコン設定装置。
【請求項４】
前記アイコン設定手段は、アイコン間の階層構造を設定する、
ことを特徴とする請求項１乃至３の何れか１項に記載のアイコン設定装置。
【請求項５】
前記アイコン設定手段は、前記携帯端末のユーザが複数いる場合、ユーザ毎に対応するアイコンを設定する、
ことを特徴とする、請求項４に記載のアイコン設定装置。
【請求項６】
店舗で購入されて接続された携帯端末に特定の機能に係るアイコンを設定するためのアイコン設定画面を表示し、
前記アイコン設定画面上から、前記アイコンを定義するアイコン情報の入力を受け付け、
前記受け付けたアイコン情報に基づいて、前記接続された携帯端末のアイコンを設定する、
ことを特徴とするアイコン設定方法。
【請求項７】
店舗に設置されており、携帯端末と接続可能なコンピュータを、
前記店舗で購入されて接続された携帯端末に特定の機能に係るアイコンを設定するためのアイコン設定画面を表示するアイコン設定画面表示手段、
前記アイコン設定画面上から、前記アイコンを定義するアイコン情報の入力を受け付けるアイコン定義手段、
前記アイコン定義手段が受け付けたアイコン情報に基づいて、前記接続された携帯端末のアイコンを設定するアイコン設定手段、
として機能させるプログラム。
【発明の詳細な説明】
【技術分野】
【０００１】
本発明は、携帯端末に表示されるアイコンを設定するアイコン設定装置、アイコン設定方法、及び、プログラムに関する。
【背景技術】
【０００２】
ＰＣ（Personal Computer）の機能をベースとして作られたスマートフォン等の携帯端末が普及している。
【０００３】
このような携帯端末は、ＰＣに匹敵する汎用性・カスタマイズ性を備えており多機能である。ユーザは、これらの各機能を使用するため、使用したい機能（アプリケーション）をダウンロードする。そして、ダウンロードした機能を起動させるためのアイコンを画面上に設定する。
【０００４】
例えば、特許文献１には、携帯端末のタッチスクリーンに表示される待ち受け画面の一側面に複数のアイコンが配列されたツールバーを提供し、ユーザがよく使用する機能をツールバーに表示させるようにすることについて記載されている。
【先行技術文献】
【特許文献】
【０００５】
【特許文献１】特開２００９−２１７８１５号公報
【発明の概要】
【発明が解決しようとする課題】
【０００６】
このようなアイコンの設定を行うためには、ＰＣ等に関する詳しい知識が必要である。従って、携帯端末を電話機の代わりとして使用したいようなＰＣに関する知識に乏しいユーザが、このようなアイコンの設定をするのは困難であった。
【０００７】
本発明は上記実情に鑑みてなされたものであり、ユーザが操作をすること無しに携帯端末のアイコンの設定をすることが可能なアイコン設定装置、アイコン設定方法、及び、プログラムを提供することを目的とする。
【課題を解決するための手段】
【０００８】
上記目的を達成するため、本発明の第１の観点に係るアイコン設定装置は、
店舗に設置されており、携帯端末と接続可能なアイコン設定装置であって、
前記店舗で購入されて接続された携帯端末に特定の機能に係るアイコンを設定するためのアイコン設定画面を表示するアイコン設定画面表示手段と、
前記アイコン設定画面上から、前記アイコンを定義するアイコン情報の入力を受け付けるアイコン定義手段と、
前記アイコン定義手段が受け付けたアイコン情報に基づいて、前記接続された携帯端末のアイコンを設定するアイコン設定手段と、
を備えることを特徴とする。
【０００９】
前記アイコン設定手段によって前記携帯端末に設定されたアイコンのアイコン情報を、該携帯端末の購入者であるユーザの識別情報と対応付けてクラウドシステムにアップロードするアイコンアップロード手段をさらに備えてもよい。
【００１０】
アイコンの変更要求をユーザから受けた際に、該ユーザの携帯端末に設定されているアイコンのアイコン情報を前記クラウドシステムから取得するアイコン取得手段と、
前記アイコン取得手段が取得したアイコン情報を変更するための入力を受け付け、受け付けた内容に基づいて、所定のネットワークを経由して、前記変更要求を依頼したユーザの携帯端末に設定されているアイコンを変更するアイコン変更手段と、をさらに備えてもよい。
【００１１】
前記アイコン設定手段は、アイコン間の階層構造を設定してもよい。
【００１２】
前記アイコン設定手段は、前記携帯端末のユーザが複数いる場合、ユーザ毎に対応するアイコンを設定してもよい。
【００１３】
上記目的を達成するため、本発明の第２の観点に係るアイコン設定方法は、
店舗で購入されて接続された携帯端末に特定の機能に係るアイコンを設定するためのアイコン設定画面を表示し、
前記アイコン設定画面上から、前記アイコンを定義するアイコン情報の入力を受け付け、
前記受け付けたアイコン情報に基づいて、前記接続された携帯端末のアイコンを設定する、
ことを特徴とする。
【００１４】
上記目的を達成するため、本発明の第３の観点に係るプログラムは、
店舗に設置されており、携帯端末と接続可能なコンピュータを、
前記店舗で購入されて接続された携帯端末に特定の機能に係るアイコンを設定するためのアイコン設定画面を表示するアイコン設定画面表示手段、
前記アイコン設定画面上から、前記アイコンを定義するアイコン情報の入力を受け付けるアイコン定義手段、
前記アイコン定義手段が受け付けたアイコン情報に基づいて、前記接続された携帯端末のアイコンを設定するアイコン設定手段、
として機能させる。
【発明の効果】
【００１５】
本発明によれば、ユーザが操作をすること無しに携帯端末のアイコンの設定をすることが可能となる。
【図面の簡単な説明】
【００１６】
【図１】本発明の実施形態に係るアイコン管理システムの構成を示す図である。
【図２】店舗サーバの構成を示すブロック図である。
【図３】クラウドサーバの構成を示すブロック図である。
【図４】アイコン管理ＤＢに記憶されている情報の構成を示す図である。
【図５】携帯端末の構成を示すブロック図である。
【図６】携帯端末のタッチパネルに表示される画面の例を示した図である。
【図７】アイコン設定処理の動作を説明するためのフローチャートである。
【図８】アイコン設定画面の例を示す図である。
【図９】アイコン作成画面の例を示す図である。
【図１０】アイコン変更処理の動作を説明するためのフローチャートである。
【発明を実施するための形態】
【００１７】
以下、本発明の実施形態について、図面を参照しながら詳細に説明する。なお、本発明は下記の実施形態及び図面によって限定されるものではない。本発明の要旨を変更しない範囲で下記の実施形態及び図面に変更を加えることが出来るのはもちろんである。また、図中同一または相当部分には同一符号を付す。
【００１８】
本発明の実施形態に係るアイコン管理システム１００について説明する。アイコン管理システム１００は、ユーザが販売店で購入した携帯端末４０に、特定の機能に係るアイコンを設定するためのシステムである。アイコン管理システム１００は、図１に示すように、この販売店内に配置される店舗サーバ１０とクラウドサーバ２０とデータベース群３０とを備える。なお、クラウドサーバ２０とデータベース群３０とはクラウドシステム２００内に構築されている。また、店舗サーバ１０とクラウドサーバ２０とは、ＬＡＮ（Local Area Network）等のネットワークＮ１を介して、相互通信可能に接続される。
【００１９】
店舗サーバ１０は、販売店内に配置され、当該販売店の店員によって操作されるサーバである。店舗サーバ１０は、主に顧客や商品の管理のために利用される。また、店舗サーバ１０は、販売店内で顧客が購入した携帯端末４０のアイコンを設定するアイコン設定装置として機能する。
【００２０】
店舗サーバ１０は、図２に示すように、通信部１１と外部ＩＦ（インターフェース）１２と操作部１３と表示部１４と記憶部１５と制御部１６とを備える。
【００２１】
通信部１１は、ＮＩＣ（Network Interface Card）等を備え、制御部１６からの指示に従い、ネットワークＮ１を介してクラウドサーバ２０と通信を行う。例えば、通信部１１は、制御部１６からの指示に従い、アイコンの設定情報を、クラウドシステム２００に送信（アップロード）する。また、通信部１１は、制御部１６からの指示に従い、ネットワークＮ２を介して、携帯端末４０と通信を行う。ネットワークＮ２は、Ｗ−ＣＤＭＡ（Wideband Code Division Multiple Access）等の無線網である。
【００２２】
外部ＩＦ１２は、ＵＳＢコネクタ等を備え、店舗サーバ１０を携帯端末４０等の外部機器と接続するためのインタフェースである。例えば、店員は、ユーザが購入した携帯端末４０のアイコンの設定をするために、外部ＩＦにＵＳＢケーブルを装着して携帯端末４０と接続する。このことにより、店舗サーバ１０と携帯端末４０とは、ＵＳＢケーブルを介して、情報の送受信をすることが可能になる。
【００２３】
操作部１３は、キーボードやマウス等から構成され、ユーザからの操作に対応した操作信号を制御部１６に供給する。
【００２４】
表示部１４は、ＬＣＤ（Liquid Crystal Display）等から構成され、制御部１６の指示に基づいて、各種の情報を表示する。例えば、表示部１４は、携帯端末４０のアイコンを設定するためのアイコン設定画面を表示する。
【００２５】
記憶部１５は、ＲＡＭ（Random Access Memory）、ＲＯＭ（Read Only Memory）、補助記憶装置等の記憶装置によって構成され、各種のデータやプログラム等を記憶する。また、記憶部１５は、制御部１６が処理を行う際のワーク領域として利用される。また、記憶部１５には、後述するアイコン管理アプリケーションを起動させるためのプログラムやデータ等が記憶される。
【００２６】
制御部１６は、ＣＰＵ（Central Processing Unit）やマイクロプロセッサユニット、ソフトウェアタイマ等から構成され、記憶部１５に記憶されているプログラムを実行することで、店舗サーバ１０全体の動作（各部の動作）を制御する。
【００２７】
また、制御部１６は、外部ＩＦ１２を介して接続された携帯端末４０に対してアイコンの設定を行うアイコン設定処理を実行する。また、制御部１６は、携帯端末４０のアイコンの設定を変更するアイコン変更処理を実行する。なお、アイコン設定処理、アイコン変更処理の詳細については後述する。
【００２８】
図１に戻り、クラウドサーバ２０は、クラウドシステム２００内に配置され、クラウドシステム２００を実現するための各種の処理を実行する。また、クラウドサーバ２０は、店舗サーバ１０からの要求を受けて、ユーザ毎に記憶しているアイコン情報を新規に登録したり、変更するための処理を行う。クラウドサーバ２０は、図３に示すように、通信部２１と、記憶部２２と、制御部２３とを備える。
【００２９】
通信部２１は、ＮＩＣ等を備え、制御部２３からの指示に従い、ネットワークＮ１を介して店舗サーバ１０と通信を行う。また、通信部２１は、制御部２３からの指示に従い、データベース群３０にアクセスして、データベース群３０内の情報を読み書きする。
【００３０】
記憶部２２は、ＲＡＭ、ＲＯＭ、補助記憶装置等の記憶装置によって構成され、各種のデータやプログラム等を記憶する。また、記憶部２２は、制御部２３が処理を行う際のワーク領域として利用される。
【００３１】
制御部２３は、ＣＰＵやマイクロプロセッサユニット、ソフトウェアタイマ等から構成され、記憶部２２に記憶されているプログラムを実行することで、クラウドサーバ２０全体の動作（各部の動作）を制御する。
【００３２】
図１に戻り、データベース群３０は、顧客管理ＤＢ３１と、ストレージＤＢ３２と、アイコン管理ＤＢ３３とを備える。
【００３３】
顧客管理ＤＢ３１は、販売店の会員となったユーザのユーザ情報を記憶するデータベースである。ユーザ情報は、ユーザＩＤ、ユーザ氏名、住所、メールアドレス等から構成される情報である。
【００３４】
ストレージＤＢ３２は、会員となったユーザがクラウドシステム２００にアップロードしたデータを記憶するデータベースである。具体的には、ストレージＤＢ３２には、ユーザがアップロードした映像データや画像データが、このユーザのユーザＩＤと対応付けられて記憶される。
【００３５】
アイコン管理ＤＢ３３は、顧客が購入した携帯端末４０に設定されているアイコンを定義する情報が格納されるデータベースである。具体的には、アイコン管理ＤＢ３３には、図４（Ａ）に示すように、携帯端末４０のユーザのユーザＩＤと、この携帯端末４０に設定されているアイコンのアイコン情報とが対応付けられて記憶される。
【００３６】
なお、アイコン情報は、アイコンを定義する情報である。アイコン情報は、ユーザの所有する携帯端末４０に設定されたアイコン毎に作成される。具体的には、アイコン情報は、図４（Ｂ）に示すように、アイコンＩＤ、アイコン名、画像、種類、サイズ、位置、処理内容、親アイコンＩＤ等の情報から構成される。
【００３７】
アイコンＩＤは、携帯端末４０に設定されている各アイコンにユニークに付されている識別用の情報である。アイコン名は、アイコンに付されている名称であり、携帯端末４０の画面のアイコンの下にアイコン名が表示される。画像は、アイコンとして画面に表示される画像の画像データである。
【００３８】
種類は、アイコンの種類を示す情報であり、「フォルダ」、「アプリケーション」等を有する。なお、種類が「フォルダ」であるアイコンは、クリックした際に、このアイコンを親とする他のアイコンが一覧表示される画面に表示が切り換わる。
【００３９】
サイズは、携帯端末４０の画面上に配置されるアイコンの大きさを規定する情報であり、「大」「中」「小」等があるものとする。位置は、携帯端末４０の画面上に配置されるアイコンの画面内での位置を規定する情報である。
【００４０】
処理内容は、アイコンをクリックした際になされる処理を規定する情報であり、起動するアプリケーションプログラムやファイルへのパス情報等である。
【００４１】
親アイコンＩＤは、アイコンが所属するアイコン（親アイコン）のアイコンＩＤを示す。親アイコンは、種類が「フォルダ」であるアイコンに限られる。親アイコンをクリックした際に、この親アイコンに所属するアイコンが親アイコンＩＤから特定され、画面に一覧表示される。なお、親アイコンＩＤが無いアイコンは、階層構造上で一番上のアイコンであり、携帯端末４０の初期画面上に表示されるアイコンである。
【００４２】
続いて、ユーザが販売店で購入する携帯端末４０について説明する。携帯端末４０は、例えば、スマートフォンであり、電話機能以外に、インターネット接続機能や、音楽や動画の再生機能等の多くの機能を有する。携帯端末４０は、図５に示すように、通信部４１と外部ＩＦ（インターフェース）４２と記憶部４３とタッチパネル４４と制御部４５とを備える。
【００４３】
通信部４１は、アンテナや通信インタフェース等を備え、制御部４５からの指示に従い、ネットワークＮ２を介して携帯電話や固定電話と音声通信を行ったり、各種のサイトやシステムにアクセスする。例えば、通信部４１は、ネットワークＮ２を介して、クラウドシステム２００（クラウドサーバ２０）にアクセスする。
【００４４】
外部ＩＦ４２は、ＵＳＢコネクタ等の通信インタフェースを備え、携帯端末４０を外部機器と接続する。例えば、販売店の店員は、ユーザが購入した携帯端末４０のアイコンを設定するために、外部ＩＦ４２にＵＳＢケーブルを装着して店舗サーバ１０と接続する。
【００４５】
記憶部４３は、ＲＡＭ、ＲＯＭ、補助記憶装置等の記憶装置によって構成され、各種のデータやプログラム等を記憶する。また、記憶部４３は、制御部４５が処理を行う際のワーク領域として利用される。
【００４６】
また、記憶部４３は、タッチパネル４４に表示される各アイコンのアイコン情報が格納されるアイコンテーブル４３１を記憶する。なお、アイコンテーブル４３１に格納されているアイコン情報は、アイコン管理ＤＢ３３内に格納されているこの携帯端末４０のユーザのユーザＩＤに対応付けられているアイコン情報と同一である。
【００４７】
タッチパネル４４は、ＬＣＤやタッチパッド等を備え、各種の画像を表示するとともに、ユーザが画面に触れた位置情報を感知して、制御部４５に送信する。例えば、タッチパネル４４には、アイコンテーブル４３１に格納されているアイコン情報に基づいて、各種のアイコンが表示される。ユーザは、タッチパネル４４に表示されている各種のアイコンをクリックして、クリックしたアイコンに対応した処理を制御部４５に実行させる。
【００４８】
ここで、具体例を挙げて、携帯端末４０のタッチパネル４４に表示されるアイコンについて説明する。図６（Ａ）〜（Ｃ）は、携帯端末４０のタッチパネル４４に表示される画面の例を示した図である。
【００４９】
図６（Ａ）は、携帯端末４０を起動した際にタッチパネル４４に最初に表示される初期画面の例を示したものであり、８個のアイコンが表示されている。なお、初期画面に表示されるこれら８個のアイコンのアイコン情報については、親アイコンＩＤは設定されていない。
この初期画面に表示されている各アイコンのうち、「電話」アイコンのアイコン情報の処理内容には、スカイプ（登録商標）起動用ファイルへのパス情報が格納されている。従って、ユーザが「電話」アイコンをクリックすると、スカイプ（登録商法）が起動して、携帯端末４０を電話として使用することができる。
また、「地図」アイコンのアイコン情報の処理内容には、グーグルマップ等の地図表示アプリケーション起動用ファイルへのパス情報が格納されている。従って、ユーザが「地図」アイコンをクリックすると、地図表示アプリケーションが起動して、タッチパネル４４を電子地図として使用することができる。
また、「クラウド（画像）」アイコンは、アイコン情報の「サイズ」が「中」に設定されているため、他のアイコンよりも大きく表示されている。また、「クラウド（画像）」アイコンのアイコン情報の処理内容には、ユーザがクラウドシステム２００内のストレージＤＢ３２にアップロードした画像へのアクセス情報（例えば、ＵＲＬ）が格納されている。従って、ユーザが「クラウド（画像）」をクリックすると、制御部４５はクラウドシステム２００に接続して、ユーザがアップロードした画像がタッチパネル４４に表示される。
また、「一郎」アイコンは、アイコン情報の「種類」がフォルダのアイコンである。「一郎」アイコンクリックすると、図６（Ｂ）に示すように、「一郎アイコン」を親アイコンとする「太郎電話番号」アイコン、「自宅地図」アイコン、「会社」アイコン、及び、「クリスマス」アイコンがタッチパネル４４に表示される。
同様に、「ゴルフ」アイコンもアイコン情報の「種類」がフォルダのアイコンであり、クリックすると、図６（Ｃ）に示すように、「○×カントリークラブ」アイコン、「天気予報」アイコン、及び、「田中さんＴＥＬ」アイコンがタッチパネル４４に表示される。
【００５０】
図５に戻り、制御部４５は、ＣＰＵ（Central Processing Unit）やマイクロプロセッサユニット、ソフトウェアタイマ等から構成され、記憶部４３に記憶されているプログラムを実行することで、携帯端末４０全体の動作（各部の動作）を制御する。
【００５１】
続いて、アイコン管理システム１００で実施される処理について説明する。
【００５２】
（アイコン設定処理）
始めに、ユーザが販売店から携帯端末４０を購入する際に、アイコンの設定を店頭で行い、そのアイコン情報をクラウドシステム２００にアップロードするアイコン設定処理について、図７のフローチャートを参照して詳細に説明する。なお、携帯端末４０を購入するユーザは既に販売店の会員であり、予めユーザＩＤ等のユーザ情報が顧客管理ＤＢ３１に登録されているものとする。
【００５３】
ユーザは、販売店の店頭で購入する携帯端末４０を店員に告げるとともに、この携帯端末４０のアイコンの設定を店頭で行うことを店員に依頼する。この依頼を受けて、店員は、どのような内容のアイコンに設定するのかを記入するための申込用紙をユーザに渡す。ユーザはこの申込用紙に所定の情報（アイコンの名称、画像、サイズ、位置、処理内容等）を記入し、店員に渡す。続いて、店員は、ＵＳＢケーブルを用いて、ユーザが購入する携帯端末４０を店舗サーバ１０の外部ＩＦ１２に接続する。そして、店員は、店舗サーバ１０の操作部１３を介して、アイコン管理アプリケーションを起動させるための操作を行う。この操作に応答して、店舗サーバ１０の制御部１６は、アイコン管理アプリケーションを起動する（ステップＳ１０１）。続いて、店員は、店舗サーバ１０の操作部１３を操作して、表示部１４に表示されているアイコン管理アプリケーションの初期画面上からこのユーザのユーザＩＤを入力し、初期設定ボタン等をクリックする。この入力操作に応答して、制御部１６は、図８（Ａ）に示すようなこのユーザに対応するアイコン設定画面を表示部１４に表示する（ステップＳ１０２）。
【００５４】
続いて、店員は、店舗サーバ１０の操作部１３を操作して、このアイコン設定画面上から、携帯端末４０のアイコンの設定を行う。例えば、店員は、操作部１３を操作して、図８に示すアイコン設定画面の「新規作成」をクリックして、図９に示すようなアイコン作成画面を表示させる。そして、店員は、ユーザが記入した申込用紙を参照して、このアイコン作成画面上から、操作部１３を操作して、追加したいアイコンを規定する各種の情報を入力し、「新規登録」ボタンをクリックする。この操作に応じて、制御部１６は、図８に示すアイコン設定画面のアイコン一覧リストに、アイコン作成画面上で入力した内容を反映したエントリを追加する。以下、店員は、この一連の操作を繰り返して、ユーザが購入した携帯端末４０に設定するアイコンを作成していく。
【００５５】
なお、作成したアイコンの内容を変更したい場合、アイコン一覧リストの各エントリの右側の「ＥＤＩＴ」ボタンを押下することにより、図９に示すアイコン作成画面を再度表示させ、ユーザはこの画面を編集することで、アイコン内容を変更すればよい。
【００５６】
また、「プレビュー」ボタンを押下すると、制御部１６は、アイコン一覧リストで規定されている各アイコンが配置された携帯端末４０の画面の例を表示部１４に表示する。ユーザは、この画面を確認することで、自分がイメージした画面レイアウトにアイコンが設定されているか否かを確認することができる。
【００５７】
図７に戻り、このようにして、アイコンを作成する処理が完了すると、店員は、アイコン設定画面の「設定」ボタンをクリックする。このクリック操作に応答して、制御部１６は、アイコン一覧リストに一覧表示されている各アイコンを規定する情報（アイコン情報）をＵＳＢケーブルを経由して携帯端末４０に送信し、携帯端末４０にアイコンを設定する（ステップＳ１０３）。具体的には、制御部１６は、携帯端末４０にアクセスして、アイコン一覧リストに一覧表示されているアイコン情報をアイコンテーブル４３１に格納することでアイコンの設定を行う。なお、携帯端末４０の制御部４５が、店舗サーバ１０から受信したアイコン情報に基づいて、自身のアイコンを設定してもよい。
【００５８】
続いて、店舗サーバ１０の制御部１６は、通信部１１を制御して、アイコン一覧リストに一覧表示されている各アイコンのアイコン情報と、対応するユーザのユーザＩＤとを含むアイコンアップロード要求を、ネットワークＮ１を介してクラウドサーバ２０に送信する（ステップＳ１０４）。クラウドサーバ２０の制御部２３は、アイコンアップロード要求を受信すると（ステップＳ１０５）、当該要求に含まれるユーザＩＤとアイコン情報とを対応付けてアイコン管理ＤＢ３３に新規のエントリとして登録（アップロード）する（ステップＳ１０６）。以上で、アイコン設定処理は終了する。
【００５９】
（アイコン変更処理）
続いて、アイコン変更処理について説明する。
【００６０】
ユーザは、アイコン設定処理によってアイコンの設定がなされた携帯端末４０を自宅や会社、駅などで利用する。この際、前述したアイコン設定処理により自分好みのアイコンの設定が既になされているため、使い勝手良く携帯端末４０を利用することができる。しかしながら、ユーザは、その後、携帯端末４０に別のアイコンを追加したり、アイコンの配置やサイズ等を変更したくなる場合も考えられる。このような場合、図１０のフローチャートに示すアイコン変更処理を実施することで、ユーザは、アイコンの設定を容易に変更をすることができる。
【００６１】
まず、ユーザは、電話や電子メール等で、携帯端末４０を購入した販売店に、アイコンの設定を変更することを告げる。なお、この際、ユーザは、少なくとも、店側に、自分のユーザＩＤとアイコンの変更内容とを告げるようにする。販売店の店員は、ユーザからの連絡を受けて、店舗サーバ１０の操作部１３から所定の操作を行い、当該操作に応答して、制御部１６は、アイコン管理アプリケーションを起動させる（ステップＳ２０１）。続いて、店員は、操作部１３を操作して、起動したアイコン管理アプリケーションの初期画面上からこのユーザのユーザＩＤ等を入力し、アイコン設定変更ボタン等をクリックする。この入力操作に応答して、制御部１６は、通信部１１を制御して、入力されたユーザＩＤを含んだアイコン検索要求をクラウドサーバ２０に送信する（ステップＳ２０２）。
【００６２】
クラウドサーバ２０の制御部２３は、店舗サーバ１０からアイコン検索要求を受信すると（ステップＳ２０３）、受信したアイコン検索要求に含まれるユーザＩＤでアイコン管理ＤＢ３３を検索して、このユーザＩＤを含むエントリを取得する（ステップＳ２０４）。そして、制御部２３は、取得したエントリに含まれる各アイコン情報を店舗サーバ１０に送信（返信）する（ステップＳ２０５）。
【００６３】
店舗サーバ１０の制御部１６は、クラウドサーバ２０からアイコン情報を受信すると（ステップＳ２０６）、図７に示すような、連絡を受けたユーザのユーザＩＤに対応するアイコン設定画面を表示部１４に表示させる（ステップＳ２０７）。なお、このアイコン設定画面のアイコン一覧リストには、クラウドサーバ２０から受信したアイコン情報を反映させる。
【００６４】
以降は、アイコン設定処理のときと同様に、店員は、「ＥＤＩＴ」ボタンや「新規作成」ボタンや「削除」ボタンをクリックする等して、ユーザから告げられた変更内容に従って、アイコンの変更、新規作成、削除等を行う。そして、変更処理が完了すると、店員は、アイコン設定画面の「設定」ボタンをクリックする。
【００６５】
このクリック操作に応答して、店舗サーバ１０の制御部１６は、アイコン一覧リストに一覧表示されている各アイコンを規定する情報（アイコン情報）をネットワークＮ２を経由して、アイコンの変更を要求したユーザの携帯端末４０に送信し、携帯端末４０のアイコンを変更する（ステップＳ２０８）。具体的には、制御部１６は、携帯端末４０にアクセスして、アイコンテーブル４３１に格納されているアイコン情報を、アイコン一覧リストに一覧表示されているアイコン情報に更新（置換）することでアイコンの設定を行う。なお、携帯端末４０の制御部４５が、店舗サーバ１０から受信したアイコン情報に基づいて、自身のアイコンを変更してもよい。なお、アイコンの変更を要求したユーザの携帯端末４０は、顧客管理ＤＢ３１から当該要求をしたユーザのユーザ情報を取得し、このユーザ情報から特定すればよい。
【００６６】
続いて、店舗サーバ１０の制御部１６は、通信部１１を制御して、アイコン一覧リストに一覧表示されている各アイコンのアイコン情報と、対応するユーザのユーザＩＤとを含むアイコンアップロード要求を、ネットワークＮ１を介してクラウドサーバ２０に送信する（ステップＳ２０９）。クラウドサーバ２０の制御部２３は、アイコンアップロード要求を受信すると（ステップＳ２１０）、当該要求に含まれるユーザＩＤを有するエントリをアイコン管理ＤＢ３３から取得する。そして、制御部２３は、取得したエントリに含まれるアイコン情報を、受信したアイコンアップロード要求に含まれるアイコン情報に更新（置換）する（ステップＳ２１１）。以上でアイコン更新処理は終了する。
【００６７】
このように、本実施形態によれば、携帯端末４０を購入時に、店舗サーバ１０によってアイコンの設定が行われる。従って、ユーザ自身が携帯端末４０を操作すること無しに、アイコンの設定を行うことができる。
【００６８】
また、本実施形態では、店舗サーバ１０の表示部１４にアイコン設定画面を表示し、このアイコン設定画面上から携帯端末４０のアイコンの設定操作を行う。従って、店員は、携帯端末４０のタッチパネル４４よりも大きな画面でアイコンを設定するための操作を行うことができる。
【００６９】
また、本実施形態では、携帯端末４０に設定されたアイコンのアイコン情報がクラウドシステム２００にアップロードされる。従って、故障などして携帯端末４０に設定されているアイコンが削除されてしまった場合でも、クラウドシステム２００からアイコン情報をダウンロードして復元することが可能となる。また、ユーザが機種変更をして別の携帯端末４０を購入した場合にも、以前の携帯端末４０に設定したアイコン情報を、クラウドシステムからダウンロードして設定することも可能となる。
【００７０】
また、本実施形態では、携帯端末４０を購入後にアイコンの設定を変更したい場合、店舗サーバ１０が携帯端末４０のアイコンの設定変更を代行するため、ユーザは容易にアイコンの設定を変更することが可能となる。
【００７１】
また、本実施形態では、アイコンの種類をフォルダとして、このアイコンをクリック時に表示される各アイコンを設定することもできる。要するに、本実施形態では、アイコンの階層構造を店頭で設定することができる。従って、本実施形態では、１つの携帯端末４０を複数のユーザで利用するような場合に、各ユーザに対応したアイコン（フォルダ）を設定することも可能となる。例えば、図６（Ａ）に示す初期画面の例では、各ユーザに対応した「太郎」アイコン、「花子」アイコン、「一郎」アイコンが設定されており、各ユーザ毎に、自分のアイコンクリック時に展開（表示）されるアイコンを設定することが可能となる。
【００７２】
また、本実施形態の店舗サーバ１０およびクラウドサーバ２０は、専用のハードウェアに限られるものではなく、通常のコンピュータシステムによっても実現することができる。
【００７３】
具体的には、上記実施形態では、店舗サーバ１０およびクラウドサーバ２０が実行するプログラムが、記憶部１５，２２に予め記憶されているものとして説明した。しかし、上述の処理動作を実行させるためのプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをコンピュータにインストールすることにより、上述の処理を実行する店舗サーバ１０およびクラウドサーバ２０を構成してもよい。
【符号の説明】
【００７４】
１０      店舗サーバ
２０      クラウドサーバ
３０      データベース群
３１      顧客管理ＤＢ
３２      ストレージＤＢ
３３      アイコン管理ＤＢ
４０      携帯端末
１００      アイコン管理システム
Ｎ１，Ｎ２  ネットワーク
【図１】
2013114496.tif 000003
【図２】
2013114496.tif 000004
【図３】
2013114496.tif 000005
【図４】
2013114496.tif 000006
【図５】
2013114496.tif 000007
【図６】
2013114496.tif 000008
【図７】
2013114496.tif 000009
【図８】
2013114496.tif 000010
【図９】
2013114496.tif 000011
【図１０】
2013114496.tif 000012